(57)【要約】【課題】複数の品種の液晶パネルの評価を１基のバーンインボードによって行なうことができ、また電源や信号ラインの接続にコネクタ方式以外の方式を採用することにより、液晶パネル評価用バーンインボードをより付加価値を付けた構造としたものである。【解決手段】複数の種類の液晶パネルを、バーンインボード本体を多段式としてサイズ違いの液晶パネルのサイズ毎に搭載可能とし、液晶パネルを各サイズ毎にそれぞれの段に搭載して、１つのバーンインボード本体を用いて複数の種類の液晶パネルを測定できるようにしたことを特徴とする液晶パネル評価用バーンインボード。【選択図】            図１
2004245678.tif 000002
【特許請求の範囲】
【請求項１】
複数の種類の液晶パネルを、バーンインボード本体を多段式としてサイズ違いの液晶パネルのサイズ毎に搭載可能とし、液晶パネルを各サイズ毎にそれぞれの段に搭載して、１つのバーンインボード本体を用いて複数の種類の液晶パネルを測定できるようにしたことを特徴とする液晶パネル評価用バーンインボード。
【請求項２】
液晶パネルからの電源、信号ライン供給材（コネクション部）の位置決めにおいて、上記供給材の位置決め用孔や切欠き等の有無に関係なく、精度良くコネクション部に容易に位置決めできるようにしたことを特徴とする請求項１に記載の液晶パネル評価用バーンインボード。
【請求項３】
液晶パネルからの電源、信号ライン供給材（コネクション部）の位置決めにおいて、上記供給材のパターンピッチが変わらなければ簡単に取り外して交換することができ、複数の信号ライン供給材の外形に適用できるようにしたことを特徴とする請求項１に記載の液晶パネル評価用バーンインボード。
【請求項４】
バーンインボードの実装枚数を増やすためにボード間ピッチを狭くするとともに、自己発光した光が反射して自らに悪影響が出ないように、各ボード裏面に光吸収板を取り付けて高密度実装を可能としたことを特徴とする請求項１に記載の液晶パネル評価用バーンインボード。
【請求項５】
バーンインボードが、環境試験装置に実装されるに際し、横置きでも縦置きでも液晶パネルに傷や衝撃を与えることなくバネ材でスムーズにクランプすることができ、液晶パネルのサイズに応じてクランプ数を増減させることが可能で、しかも上記バネ材のクランプ圧により液晶パネルがずれたり、脱落させないで保持が可能であり、なおかつ液晶パネルをワンタッチで着脱することができるようにしたことを特徴とする請求項１に記載の液晶パネル評価用バーンインボード。
【請求項６】
バーンインボード本体に、測定に不要な供給材の収納ポケットが搭載され、バーンインボードのテスト内容により不要な供給材が発生した場合、供給材のコネクション部からの他への接触ショート等を防ぐようにしたことを特徴とする請求項１に記載の液晶パネル評価用バーンインボード。
【発明の詳細な説明】
【０００１】
【発明の属する技術分野】この発明は液晶パネルの評価時に使用する液晶パネル評価用バーンインボードの新規な構造に関するものである。
【０００２】
【従来の技術】バーンインボードとは、半導体製品を一般に１２５℃、１５０℃などの高温環境下に置いて電圧や信号を印加し、半導体製品の初期不良や製造工程での不具合を取り除くバーンインテストに使用されるボードのことをいう。簡単にいうと、熱をかけた状態で半導体製品を動作させることによって良品・不良品のボーダーライン付近にある製品を、無理やり不良に追い込んで完全な良品のみを短時間で得ようと考えられた試験に用いられるボードである。そしてボード状の外観で、半導体製品をＩＣソケットに脱着可能となっている。このＩＣソケットに半導体を実装してバーンインチャンバーと呼ばれる恒温槽を用い、製品の出荷の際にバーンインテストを実施して信頼度の高い製品を供給するために、このバーンインボードを使用している。
【０００３】ところで、現在行なわれている液晶パネルの評価工程は、半導体素子をバーンインボードを使用して評価する上記工程と類似しているものがある。そしてこの発明の液晶パネル評価用バーンインボードは、バーンインボードをより付加価値を付けた構造としたものである。
【０００４】
【発明が解決しようとする課題】従来採用されている液晶パネルの評価工程は、半導体素子をバーンインボードを使用して評価する上記工程と類似しているものがある。しかしながら、このような液晶パネル評価用バーンインボードは、一品種限定の評価しか行なうことができず、また電源や信号ラインの接続はコネク夕方式になっていた。
【０００５】この発明は、複数の品種の液晶パネルの評価を１基のバーンインボードによって行なうことができ、また電源や信号ラインの接続にコネクタ方式以外の方式を採用することにより、液晶パネル評価用バーンインボードをより付加価値を付けた構造としたものである。
【０００６】
【課題を解決するための手段】すなわち上記課題を解決するために、この発明の液晶パネル評価用バーンインボードは、複数の種類の液晶パネルを、バーンインボード本体を多段式としてサイズ違いの液晶パネルのサイズ毎に搭載可能とし、液晶パネルを各サイズ毎にそれぞれの段に搭載して、１つのバーンインボード本体を用いて複数の種類の液晶パネルを測定できるようにしたことを特徴とするものである。
【０００７】この発明の液晶パネル評価用バーンインボードは、液晶パネルからの電源、信号ライン供給材（コネクション部）の位置決めにおいて、上記供給材の位置決め用孔や切欠き等の有無に関係なく、精度良くコネクション部に容易に位置決めできるようにしたことをも特徴とするものである。
【０００８】この発明の液晶パネル評価用バーンインボードは、液晶パネルからの電源、信号ライン供給材（コネクション部）の位置決めにおいて、上記供給材のパターンピッチが変わらなければ簡単に取り外して交換することができ、複数の信号ライン供給材の外形に適用できるようにしたことをも特徴とするものである。
【０００９】この発明の液晶パネル評価用バーンインボードは、バーンインボードの実装枚数を増やすためにボード間ピッチを狭くするとともに、自己発光した光が反射して自らに悪影響が出ないように、各ボード裏面に光吸収板を取り付けて高密度実装を可能としたことをも特徴とするものである。
【００１０】この発明の液晶パネル評価用バーンインボードは、バーンインボードが、環境試験装置に実装されるに際し、横置きでも縦置きでも液晶パネルに傷や衝撃を与えることなくバネ材でスムーズにクランプすることができ、液晶パネルのサイズに応じてクランプ数を増減させることが可能で、しかも上記バネ材のクランプ圧により液晶パネルがずれたり、脱落させないで保持が可能であり、なおかつ液晶パネルをワンタッチで着脱することができるようにしたことをも特徴とするものである。
【００１１】この発明の液晶パネル評価用バーンインボードは、バーンインボード本体に、測定に不要な供給材の収納ポケットが搭載され、バーンインボードのテスト内容により不要な供給材が発生した場合、供給材のコネクション部からの他への接触ショート等を防ぐようにしたことを特徴とするものである。
【００１２】以上この発明によれば、複数の品種の液晶パネルの評価を１基のバーンインボードによって行なうことができ、また電源や信号ラインの接続にコネクタ方式以外の方式を採用することにより、液晶パネル評価用バーンインボードをより付加価値を付けた構造とすることができるようになった。
【００１３】
【発明の実施の形態】この発明の液晶パネル評価用バーンインボードの実施の形態を図面に基いて詳細に説明する。
図１はこの発明の液晶パネル評価用バーンインボードの一実施例を示す平面図、図２はその側面図、図３はその正面図、図４は液晶パネルと電源、信号ライン供給材からなるワークを示し、（ａ）および（ｂ）はそれぞれ交換可能なワークを示す平面図、図５はワークの平面図である。
【００１４】図１ないし図５は、この発明の液晶パネル評価用バーンインボードの一実施例を示すものであり、バーンインボード本体１１は表面板と裏面板とを所定の間隔で連結した中空状の構造を備えている。そして、その長さ方向には所定の間隔をおいて多段式の液晶パネル搭載部１２，１３が、接続部を対向するように一対設置され、かつ幅方向に複数配列されている。
【００１５】１４は、１対の液晶パネル搭載部１２，１３間のほぼ中央に設けたスペーサであり、このスペーサ１４に設けた供給材ロック機構１５には、電源、信号ライン供給材１６の先端が取り付けられており、その他端は予め上記液晶パネル搭載部１２，１３に搭載した後述の液晶パネルに取り付けられている。１７は上記スペーサ１４上において供給材ロック機構１５と交互に取り付けられ、先端を液晶パネル搭載部１２，１３に向けて配置した、板バネ等からなる液晶パネル押え材である。なお、図において１８はバーンインボード本体１１の一端に設けたエッジコネクタ部である。
【００１６】上記実施例に示すように、この発明の液晶パネル評価用バーンインボードには多段式の液晶パネル搭載部１２，１３が設けられている。この多段式の液晶パネル搭載部１２，１３は、上段の液晶パネル搭載部１２内に適宜下段の液晶パネル搭載部１３が配置されており、複数の種類の液晶パネル２１，２２をそれぞれ収納することができるようになっている。すなわち、サイズ違いの液晶パネル２１，２２のサイズ毎に搭載可能となっているのである。したがって、液晶パネル２１，２２を各サイズ毎にそれぞれの段に搭載して、１つのバーンインボード本体１１を用いて複数の種類の液晶パネル２１，２２を測定することができるのである。なお、液晶パネル２１，２２は液晶パネル搭載部１２，１３上に発光方向を上向きにしてセットされる。
上記液晶パネル２１，２２と電源、信号ライン供給材１６とからなるワークの例を図４および図５に示す。そして電源、信号ライン供給材１６の先端を供給材ロック機構１５に接続させて液晶パネル２１，２２を発光させるのである。
【００１７】上記液晶パネル２１，２２と電源や信号を供給する電源、信号ライン供給材（コネクション部）１６からなるワークの位置決めは、液晶パネル押え材１７によって液晶パネル搭載部１２，１３上に保持することによって行なわれる。なお、電源、信号ライン供給材１６先端と上記液晶パネル２１，２２のコネクション部との接続は、上記供給材１６の位置決め用孔や切欠き等の有無に関係なく、精度良くかつ容易に行なうことができる。
【００１８】なお、上記液晶パネル２１，２２と電源や信号を供給する電源、信号ライン供給材１６からなるワークの位置決めに関しては、図４（ａ）および（ｂ）に図示したように、液晶パネル２１（同図（ａ））および液晶パネル２２（同図（ｂ））のそれぞれの電源、信号ライン供給材１６のパターンピッチＣが同じであれば、各電源、信号ライン供給材１６に幅Ａ，ＢおよびＸ，Ｙの違いがあっても、簡単にワークの交換が行なえる。
すなわち、各液晶パネル２１，２２から伸びる電源、信号ライン供給材１６は、上記供給材１６のパターンピッチＣが変わらなければ複数の信号ライン供給材の外形に適用でき、したがって簡単に取り外して交換することが可能となるのである。
【００１９】２３は、各液晶パネル搭載部１２，１３とそのほぼ中央に設けたスペーサ１４との間に設けた供給材収納ポケットで、液晶パネル評価用バーンインボードのテスト内容により不要な供給材１６が発生した場合、供給材１６のコネクション部からの他への接触ショート等を防ぐようになっている。
２４はバーンインボード本体１１の裏面に取り付けた反射吸収板、２５はロック支柱１４に搭載した供給材位置決めプレートである。
【００２０】この発明の液晶パネル評価用バーンインボードにおいては、液晶パネル評価用バーンインボードが、環境試験装置に実装されるに際し、横置きでも縦置きでも液晶パネル２１，２２に傷や衝撃を与えることなく液晶パネル押え材（バネ材）１７でスムーズにクランプすることができ、液晶パネル２１，２２のサイズに応じてクランプ数を増減させることが可能で、しかも上記液晶パネル押え材１７のクランプ圧により液晶パネル２１，２２がずれたり、脱落しないで保持することが可能である。もちろん、液晶パネル２１，２２をワンタッチで着脱することができるようになった。
【００２１】この発明の液晶パネル評価用バーンインボードにおいては、バーンインボードの環境試験装置への実装枚数を増やすため、ボード間ピッチを狭くするとともに、自己発光した光が反射して自らに悪影響が出ないように、各ボード裏面に光吸収板を取り付けて高密度実装を可能としている。
【００２２】
【発明の効果】以上の如くこの発明の液晶パネル評価用バーンインボードによれば、複数の種類の液晶パネルを、バーンインボード本体を多段式としてサイズ違いの液晶パネルのサイズ毎に搭載可能とし、液晶パネルを各サイズ毎にそれぞれの段に搭載して、１つのバーンインボード本体を用いて複数の種類の液晶パネルを測定できるようにしたことにより、液晶パネルのサイズ毎にバーンインボードを製作しなくてもよくなり、コストメリットが非常に出るようになった。
【００２３】この発明の液晶パネル評価用バーンインボードによれば、液晶パネルからの電源、信号ライン供給材（コネクション部）の位置決めにおいて、上記供給材の位置決め用孔や切欠き等の有無に関係なく、精度良くコネクション部に容易に位置決めできるようにしたので、液晶パネルの取り付け、取り外しが容易となって、交換時間の短縮が計れるようになった。
【００２４】この発明の液晶パネル評価用バーンインボードによれば、測定に不要な供給材を収納ポケットに収納できるようにしたので、バーンインテスト時の断線、ショートの心配がなくなった。
【００２５】この発明の液晶パネル評価用バーンインボードによれば、バーンインボードを使用することで高密度実装が可能になり、またバーンインボード単位での扱いとなるためバーンインボードを収納したラック単位での管理、搬送等ができるようになった。
【００２６】この発明の液晶パネル評価用バーンインボードによれば、環境試験装置の炉体との接点（液晶パネルヘの電源、信号供給）もボード上のエッジコネクタからになるので、液晶パネルに直接負荷等を与えることがなく、液晶パネルヘの信頼性が向上する。
【００２７】この発明の液晶パネル評価用バーンインボードによれば、ボード自動着脱チャンバ等の使用も可能になるため、環境試験装置の自動化においても非常に大きい効果を得ることができた。
【図面の簡単な説明】
【図１】この発明の液晶パネル評価用バーンインボードの一実施例を示す平面図である。
【図２】その側面図である。
【図３】その正面図である。
【図４】液晶パネルと電源、信号ライン供給材からなるワークを示し、（ａ）および（ｂ）はそれぞれ交換可能なワークを示す平面図である。
【図５】ワークの側面図である。
【符号の説明】
１１  バーンインボード本体
１２，１３  液晶パネル搭載部
１４  ロック支柱
１５  供給材ロック機構
１６  電源、信号ライン供給材
１７  液晶パネル押え材
１８  エッジコネクタ部
２１，２２  液晶パネル
２３  供給材収納ポケット
２４  反射吸収板
２５  供給材位置決めプレート
【図１】
2004245678.tif 000003
【図２】
2004245678.tif 000004
【図３】
2004245678.tif 000005
【図４】
2004245678.tif 000006
【図５】
2004245678.tif 000007